(57)【要約】注射器ホルダは注射器を安全に閉じ込めて一回使用後に廃棄される設計である。注射器ホルダは、注射器の後フランジ（２）がソケット（１５）内にある間、注射器（１）が侵入する後端を有するバレル（５）を含む。ゲート（１６）は、ソケット（１５）を囲繞する厚いフランジ（１２）内のスロット（１４）へ半径方向平面において蝶番止めされ、かつ注射器（１）の後方移動を阻止する位置へスナップ係止される。注射器針（３）はバレル（５）の前方へ突出し、かつバレルへ閉じ込めるためにスリーブ（７）により包囲されかつバネ（６）により前方へ付勢される。スリーブ（７）は注射時に後退しかつ針を露出させるが、その後に再度前方へ移動し、回転してバレル（５）へスナップ係止しかつ針包囲位置に固定される。スリーブ（７）は、注射前に、前後移動するときに、キャップまたはシースを針（３）から除去するように構成できる。
2004531316.tif 000002
【特許請求の範囲】
【請求項１】
注射器を受ける開放後端を有するバレルを有し、注射器が完全収納位置に達するとカプセルの後端でフランジの背後と係合する手段を前記開放後端が有し、それにより前記バレル内に前記カプセルを保持する注射器ホルダにおいて、
前記バレルの開放後端は前記フランジを受けかつ位置決めするソケット、および
半径方向平面において蝶番留めされたゲートを含み、
前記ゲートは前記ソケットから離れる非遮断位置から、前記ソケットから前記カプセルのフランジの脱出を阻止するがプランジャの作動を妨害しない遮断位置へ移動して前記遮断位置において固定されることを特徴とする、注射器ホルダ。
【請求項２】
前記ゲートは前記バレルと一体成形されかつその蝶番として働く薄いウエブにより前記バレルに連結されている、請求項１の注射器ホルダ。
【請求項３】
前記ゲートは、前記遮断位置に達するときに、スロットを介して前記ソケットへ侵入し、前記スロットにスナップ係止する、請求項１または２の注射器ホルダ。
【請求項４】
バネが前記バレル内で前記注射器のカプセルを囲繞し、前記バレルの前端と摺動自在に係合して前記バレルを拘束するプロテクタスリーブ上に作用し、使用前後に針を包囲するために前記プロテクタスリーブを前方へ付勢し、かつ注射時に前記プロテクタスリーブによる針の後退または露出を可能にする、請求項１から３のいずれか１の注射器ホルダ。
【請求項５】
前記プロテクタスリーブと前記バレルの係合は、前記プロテクタスリーブが前方針包囲位置にあるときに自由摺動状態から不可逆係合状態への共通軸を中心とする相互回転を可能にするものである、請求項４の注射器ホルダ。
【請求項６】
前記バレルは前記プロテクタスリーブ内のＬ形スロット内を移動する突起を有し、前記スロットの長いアームは前記プロテクタスリーブの長手であり、かつ短いアームはその後端へ向かう周辺である、請求項５の注射器ホルダ。
【請求項７】
前記バレルと前記プロテクタスリーブの共働する円筒面は歯形キーを有し、前記歯形キーは前記相互回転により前記突起が前記スロットの短いアームへ移動するときに相互に対してスナップ係止し、それにより前記突起を拘束しその軸方向運動を阻止する、請求項６の注射器ホルダ。
【請求項８】
前記突起は前記スロットの短いアームと不可逆的にスナップ係止する構成である、請求項６または７の注射器ホルダ。
【請求項９】
前記プロテクタスリーブは、針のキャップまたはシースのベースへ引き戻されるように角度を付けた一体的バネタブを内部に備え、前記プロテクタスリーブが前方へ再度付勢されるときに前記バネタブは前記キャップまたはシースを針から押し出しかつ前記プロテクタスリーブが針保護位置に着くように内方へ撓む、請求項４から８のいずれか１の注射器ホルダ。
【発明の詳細な説明】
【技術分野】
【０００１】
本発明は注射器ホルダに関する。
【背景技術】
【０００２】
ホルダ付きで使用される注射器は、通常形態として、投薬を収容する円筒カプセルを有し、カプセルはプランジャにより捕獲もしくは拘束され、プランジャのロッドはカプセルの後端から離れている。カプセルの後端は半径方向の突出フランジ、通常は二つの平面を有する環状体を有し、かつ針は縮小した前端から軸方向に突出している。保護キャップは概ね使用前に針を保護するために設けられる。かかる注射器は以下この種の注射器と呼ぶ。
【０００３】
かかる注射器はそれ自体により使用できるが、小さくかつ「扱いにくく」、更に制御もしくは管理が容易でない。更に、露出した針は危険であり、使用後にはその安全性が重要である。キャップを置換することは、キャップが再度容易に除去できるので、解決にならない。
【０００４】
従って、注射器を収容し、注射器の使用を容易にし、かつ使用後の安全性を確保するために種々の装置が開発された。その幾つかは極めて複雑であり、バネ発射機構のトリガ解放を伴い、かつハウジングへ針を後退させるために自動バネ後退機構を有する。しかし、こられの装置は使い捨てでなく、または少なくとも一回使用後に廃棄するには高価すぎ、かつバネの注意深い抜き取りを必要とする。
【発明の開示】
【発明が解決しようとする課題】
【０００５】
本発明の課題は、注射器への装填が容易であり、装填時に注射器を固定し、かつ好ましくは、使用後に針を不可逆的に包囲する簡単かつ信頼性のある方法を提供する、基本的に使い捨て可能なホルダを提供することにある。
【課題を解決するための手段】
【０００６】
本発明によれば、上記種類の注射器を受ける開放後端を有するバレルを有し、注射器が完全収納位置に達するとカプセルの後端でフランジの背後と係合する係合自在の手段を前記開放後端が有し、それにより前記バレル内に前記カプセルを保持する注射器ホルダが提供され、前記注射器ホルダにおいて、
前記バレルの開放後端は前記フランジを受けかつ位置決めするソケット、および半径方向平面において蝶番留めされたゲートを含み、
前記ゲートは前記ソケットから離れる非遮断位置から、前記ソケットから前記カプセルのフランジの脱出を阻止するがプランジャの作動を妨害しない遮断位置へ移動して前記遮断位置において固定もしくは拘束されることを特徴とする。
【０００７】
前記ゲートは前記バレルと一体成形されてよく、かつその蝶番として働く薄いウエブにより前記バレルに連結されている。
【０００８】
好適には、前記ゲートは、前記遮断位置に達するときに、スロットを介して前記ソケットへ侵入するように蝶番留めされている。
【０００９】
付加的に、バネが前記バレル内で前記注射器のカプセルを囲繞していて、前記バレルの前端と摺動自在に係合して前記バレルを拘束するプロテクタスリーブ上に作用する。前記バネは針を使用前後に包囲するために前記プロテクタスリーブを前方へ付勢し、かつ注射時に前記プロテクタスリーブによる針の後退または露出を可能にする。
【００１０】
前記プロテクタスリーブと前記バレルの係合は、前記プロテクタスリーブが前方針包囲位置にあるときに自由摺動状態から不可逆係合状態への共通軸を中心とする相互回転を可能にするものであってよい。
【００１１】
この場合、前記バレルは前記プロテクタスリーブ内のＬ形スロット内を移動する突起を有するのが便利であり、前記スロットの長いアームは前記プロテクタスリーブの長手であり、かつ短いアームはその後端へ向かう周辺である。
【００１２】
前記バレルと前記プロテクタスリーブの共働する円筒面は、その相互回転により前記突起が前記スロットの短いアームへ移動するときに相互に対してスナップ係止する歯形キーを有していていよい。前記突起は、それにより、拘束されかつその軸方向運動は阻止される。
【００１３】
選択的または付加的に、前記突起は前記スロットの短いアームと不可逆的にスナップ係止する構成であってよい。
【００１４】
前記プロテクタスリーブは、また、他の機能を有しいてよく、例えば、針のキャップまたはシースのベースへ引き戻されるように角度を付けた一体的バネタブを内部に備え、前記プロテクタスリーブが前方へ再度付勢されるときに前記バネタブは前記キャップまたはシースを針から押し出しかつ前記プロテクタスリーブが針保護位置に着くように内方へ撓む構成であってよい。
【発明を実施するための最良の形態】
【００１５】
本発明の理解を容易にするために、添付図面を参照して本発明の一実施形態を次に説明する。
【００１６】
ホルダ内で使用される注射器は、通常形態として、後端外方に放射状フランジ２を備えたカプセル１を有する。外形で示されたキャップを初期に備えた針３は、前方端から突出し、かつプランジャ４は後方端から突出して使用時に針３からカプセル内の投与薬を発射するために前方へ付勢される。
【００１７】
ホルダは三つの主要素、即ち、バレル５、バレル内の螺旋バネ６、およびバレルの前方端上で格納式に伸縮するプロテクタスリーブ７を有する。
【００１８】
バレル５は略長手にわたって直状円筒形である。前方端に、直径方向に対峙した直角三角形断面の二つの外キー（splines）８がバレルの軸に平行に配置され、かつバレルに対して放射状の一側とバレルに概ね接した他側を有する。二つの放射状側は同一周辺方向において対面する。バレルの外面上でこれらキー８の中間にその端から少し離れたところに浅い四辺形突起９がある。
【００１９】
バレルの長手の前方端から約２／３のところに、使用時の装置の取り扱いを容易にするために、概ね楕円形の外フランジ１０がある。
【００２０】
バレルは注射器の後方端を受けかつ位置決めするために後方端に非対称のカップ形部１１を有する。フランジ１２は厚みがあり、湾曲ループ１３により約９０°の円弧にわたって半径方向に延びている。この反対側に、スロット１４がフランジ１２の上下面間に設けられ、ソケット１５に対して開放し、ソケット１５内には注射器のフランジ１２が着座している。それが適正位置にあるときに、フランジ２の後面は前方向においてスロット１４を丁度越える。ゲート１６は、フランジ１２の側へかつループ１３のクラウンから９０°で薄いウエブ１７により蝶番止めされ、かつ図示後退位置から揺動してスロット１４内へ侵入しかつ拘束されると同時にバレル５内に注射器を閉じ込めることができる。ゲートは一コーナで蝶番を備えた概ねＤ形であり、Ｄ形の直線部は半円形切欠き１８を有し、切欠き１８はプランジャ４の半分の囲繞を可能にし、かつゲートの本体の隣接部はフランジ２上に重なりかつ注射器の後方移動を阻止または遮断する。
【００２１】
ゲート１６はスロット１４内にスナップ結合する。ゲート１６は全体的にスロット１４の幅に等しい厚みを有するが、切欠き１８のクラウンのまわりにゲートの主本体に戻る段２０で終端する対応する湾曲傾斜面１９がある。閉鎖されるときに、傾斜面はスロット１４を僅かに広げ、かつ段２０がソケット１５に達するとスロット１４はゲートに接近してゲートは固定される。
【００２２】
切欠き１８から傾斜面１９を越えたところに湾曲スロット２１が形成され、かつそこを越えてゲートはループ２３を有する相対的に厚みのあるセクション２２に段構成され、閉鎖時にはループ２３は直径方向に対峙するループ１３に合致するように構成されている。
【００２３】
針のプロテクタスリーブ７は長手中間部の前方にショルダ２４で縮小する円筒部材である。相対的に大きい直径部２５および相対的に小さい直径部２６の両者は良好グリップのために外リブ２７を有する。内部には、タブ２８がショルダ２４から内方かつ前方へ突出し、ショルダ２４は外側にスロープを付け内側が段構成されている。相対的に大きい直径部２５はＬ形スロット２９を有し、長いアームが長手の大半にわたり、かつ短いアームは後端で周辺部を形成している。基礎幅は突起の幅に対応し、かつ短いアームの入口にはスロット２９の対応部へ突起９のスナップ作用を可能にする小さいラグ３０が形成されている。直径方向に対峙する二つのキー３１は相対的に大きい直径部２５の内部に形成されかつ突起９がスロット２９の相対的に短いアームへ侵入するたときにキー８と共働する位置にある。
【００２４】
本装置は、バレル５の前端へバネ６を挿入しかつその前端をプロテクタスリーブ７の後方部へ付勢し、突起９をスロット２９の長いアームと整合させることにより組立てられる。スナップ運動のためにバネは十分な可撓性および弾性を有し、取り付けを容易にするためにスリーブの内側にはその後端からスロット２９まで延びた浅い長手チャンネル３２があり、ある程度の付勢が必要であるが突起９を収容する。突起９が、一旦、スロット２９へ侵入すると、二つの部材５および７は相互に対して固定する。そこで、ホルダは注射器を受け、注射器はバレル５の後方へ侵入し、フランジ２がソケット１５内に着き、上述のごとく捕捉される。
【００２５】
使用前に、プロテクタスリーブ７はバネ６に対して後方へ移動し、タブ８が針のキャップの拡大後端にスナップ係止するまでバネ６はショルダ２４内の内段上を付勢する。プロテクタスリーブ７を移動させると、プロテクタスリーブ７はバネ６により再び前方へ移動し、タブ２８は針キャップを徐々に緩める。針キャップが取り除かれると、針３の先端は小さい直径部２６により包囲維持される。そこで装置は使用できる状態になる。
【００２６】
プロテクタスリーブ７の前端は患者の皮膚へあてがわれかつ圧力が付与される。針３はプロテクタスリーブ７を押し戻すときに侵入する。針３が突出する量はプロテクタスリーブ７の小さい直径部２６の長さに依存し、かつその停止はショルダ２４の外段により提供され、ショルダ２４に対してバレル５の端が当接する。それと同時に突起９はスロット２９の前端に着く。バネ６の前端はショルダ２４の内段に当接して圧縮される。そこで、プランジャ４は針３から投与薬を発射するために押圧される。
【００２７】
放棄時に、バネ６が作用してプロテクタスリーブ７を前方へ押して針３が包囲されるようにする。そこで、バネ作用により移動しなくなったときに、プロテクタスリーブ７を真っ直ぐ前方へ引っ張り、かつ突起９がスロット２９の短いアームへ侵入するように捩る。プロテクタスリーブ７が着座すると、キー８および１８は相互に対してスナップ係止し、その位置でプロテクタスリーブ７を固定する。そのようにして、針３は再露出不可能になり、かつ本装置は安全に廃棄できる。
【００２８】
キー８および１８のスナップ作用は突起９とラグ３０のスナップ係止よりも更に確実であり、突起９とラグ３０は省略できる。選択的に、または付加的に、ラグ３０は突起９に対して復帰しない形成であってよく、キー８および１８の予備、またはキーを補完するものであってよい。
【図面の簡単な説明】
【００２９】
【図１】医療注射器の側面図である。
【図２】注射器ホルダの斜視図である。
【図３】注射器ホルダのバレルの一部の側面図である。
【図４】図３のIV-IV線上の断面図である。
【図５】注射器ホルダの針プロテクタスリーブの一部仮想線による側面図である。
【図６】図５の方向Ａにおけるスリーブの端面図である。
【国際公開パンフレット】
2004531316.tif 000003
2004531316.tif 000004
2004531316.tif 000005
2004531316.tif 000006
2004531316.tif 000007
2004531316.tif 000008
2004531316.tif 000009
2004531316.tif 000010
2004531316.tif 000011
2004531316.tif 000012
2004531316.tif 000013
2004531316.tif 000014
2004531316.tif 000015
2004531316.tif 000016
2004531316.tif 000017
2004531316.tif 000018
【国際調査報告】
2004531316.tif 000019
2004531316.tif 000020
2004531316.tif 000021